(57)【要約】【課題】  誰にでも簡単に、安全且つ正確な研磨作業を行うことができる刃物研磨装置を提供する。【解決手段】  平板状で、磁性体を含んでなる研磨砥石（２）と、上面に、研磨砥石（２）を載置収容するための所定の凹所（５）が形成され、凹所（５）には研磨砥石（２）を吸着保持することができる第１磁石（６）が埋設されているとともに、底面には、対象物へ吸着固定するための第２磁石（８）が埋設され、第２磁石（８）の周囲には滑り止め材（９）が設けられた本体と、から刃物研磨装置（１）を構成した。【選択図】  図４
2008207261.tif 000002
【特許請求の範囲】
【請求項１】
平板状で、磁性体を含んでなる研磨砥石と、
上面に、該研磨砥石を載置収容するための所定の凹所が形成され、該凹所には該研磨砥石を吸着保持することができる第１磁石が埋設されているとともに、底面には、対象物へ吸着固定するための第２磁石が埋設され、該第２磁石の周囲には滑り止め材が設けられた本体と、を備えた刃物研磨装置。
【請求項２】
上面に、平板状で、磁性体を含んでなる研磨砥石を載置収容するための所定の凹所が形成され、該凹所には該研磨砥石を吸着保持することができる第１磁石が埋設されているとともに、
底面には、対象物へ吸着固定するための第２磁石が埋設され、該第２磁石の周囲には滑り止め材が設けられた刃物研磨装置。
【請求項３】
該第２磁石と、該滑り止め材との間には、滑り止め効果を向上せしめる段差が設けられた請求項１乃至２の何れかに記載の刃物研磨装置。
【請求項４】
該研磨砥石がダイヤモンド砥石である請求項１乃至３の何れかに記載の刃物研磨装置。
【請求項５】
該第１磁石及び該第２磁石が、フェライト磁石である請求項１乃至４の何れかに記載の刃物研磨装置。
【発明の詳細な説明】
【技術分野】
【０００１】
本発明は、刃物研磨装置に関する。
【背景技術】
【０００２】
包丁、ナイフ、はさみ等の刃物は、使用により磨耗して切れ味が悪化するため、使用者等が刃物を研いで切れ味の回復を図っている。
そして、従来、この刃物を研ぐ道具としては、砥石が用いられることが多い。
【０００３】
これに対して、塊状砥粒を所定の結合剤によって結合することにより、耐磨耗性と切れ味を向上させるようにした砥石を提供するものとして、例えば特許文献１がある。
【０００４】
【特許文献１】特開２００１−１２１４２５
【発明の開示】
【発明が解決しようとする課題】
【０００５】
従来の砥石においては、砥石を台座やホルダー等を介して固定して研磨作業を行う必要があるが、簡易で十分な固定方法がなく、また、刃物の当接角度を一定に保持することが非常に難しいため、相当の経験や熟練を有した者でなければ、安全且つ正確な作業を行うことができないという問題があった。
【０００６】
そこで、本発明は、上記問題に鑑みてなされたものであり、誰にでも簡単に、安全且つ正確な研磨作業を行うことができる刃物研磨装置を提供することを目的とするものである。
【課題を解決するための手段】
【０００７】
上記の課題を解決するために、請求項１に記載の刃物研磨装置は、平板状で、磁性体を含んでなる研磨砥石と、上面に、該研磨砥石を載置収容するための所定の凹所が形成され、該凹所には該研磨砥石を吸着保持することができる第１磁石が埋設されているとともに、底面には、対象物へ吸着固定するための第２磁石が埋設され、該第２磁石の周囲には滑り止め材が設けられた本体と、を備えたことを要旨とする。
【０００８】
また、請求項２に記載の刃物研磨装置は、上面に、平板状で、磁性体を含んでなる研磨砥石を載置収容するための所定の凹所が形成され、該凹所には該研磨砥石を吸着保持することができる第１磁石が埋設されているとともに、底面には、対象物へ吸着固定するための第２磁石が埋設され、該第２磁石の周囲には滑り止め材が設けられたことを要旨とする。
【０００９】
また、請求項３に記載の刃物研磨装置は、請求項１乃至２の何れかに記載の構成において、該第２磁石と、該滑り止め材との間には、滑り止め効果を向上せしめる段差が設けられたことを要旨とする。
【００１０】
また、請求項４に記載の刃物研磨装置は、請求項１乃至３の何れかに記載の構成において、該研磨砥石がダイヤモンド砥石であることを要旨とする。
【００１１】
また、請求項５に記載の刃物研磨装置は、請求項１乃至４の何れかに記載の構成において、該第１磁石及び該第２磁石が、フェライト磁石であることを要旨とする。
【発明の効果】
【００１２】
本発明に係る刃物研磨装置によれば、平板状で、磁性体を含んでなる研磨砥石と、上面に、該研磨砥石を載置収容するための所定の凹所が形成され、該凹所には該研磨砥石を吸着保持することができる第１磁石が埋設されているとともに、底面には、対象物へ吸着固定するための第２磁石が埋設され、該第２磁石の周囲には滑り止め材が設けられた本体と、を備えて構成したため、研磨砥石に当接する刃物のぐらつきが無く、また、刃物が研磨砥石から逃げることもない。従って、誰にでも簡単に、安全且つ正確な研磨作業を、スピーディーに、美しく行うことができる。また、一定の対象物であれば、どこにでも固定することができ、しかも簡易な構造であるため、製造コストを低く抑えることができる。
【発明を実施するための最良の形態】
【００１３】
本発明の刃物研磨装置は、主として研磨砥石と、研磨砥石を載置支持する本体と、を備えて構成されるものである。
研磨砥石は、平板状で、磁性体を含み、磁石に吸着される性質のものであれば制限無く用いることができる。研磨砥石は、必要により、本発明の構成から除いてもよく、本体のみを本発明の刃物研磨装置として実施することもできる。
【００１４】
研磨砥石としては、ダイヤモンド砥石が最適である。ダイヤモンド砥石は、耐磨耗性が高く、砥石の減りが少ないため平面精度を長期間保持できる。また、強い力を入れることなく、短時間で研磨作業を完了することができる。ダイヤモンド砥石としては、例えば、鉄など磁性体製の金属板の表面に、ダイヤモンド砥粒層を電着又は焼結によって一体化したものを用いることができる。
【００１５】
本体には、第１磁石及び第２磁石を埋設するが、これらの磁石としては、例えばアルニコ磁石、フェライト磁石、希土類磁石等の永久磁石を用いる。中でもフェライト磁石は、保磁力、加工性に優れ、しかも非常に安価であるため最適である。
【００１６】
第１磁石は、凹所に埋設されるが、研磨砥石を凹所に吸着保持するとともに、研磨砥石を介して、当接する刃物に一定の吸着力を及ぼし得る程度の適度の磁力を有するものであればよい。
一方、第２磁石は、底面に埋設され、装置を対象物へ吸着固定するためのものであり、研磨作業に伴う滑動を防止するために、強固な磁力を有するものであることが好ましい。「対象物」は、鉄などの磁性体からなり、磁石を吸着可能なものであれば、如何なるものであってもよい。
本発明の刃物研磨装置を適用できる刃物について特に限定は無いが、本発明の効果を確実に得るためには、特に磁石に吸着される磁性体製のものが好ましい。
【実施例１】
【００１７】
本発明の一実施形態について、図１〜図４に基づいて説明する。図１は刃物研磨装置の平面図、図２は刃物研磨装置の側面図、図３は刃物研磨装置の底面図、図４は刃物研磨装置の側面断面図である。
【００１８】
図１〜図４に示すように、本実施例に係る刃物研磨装置（１）は、小型で円盤状をなす研磨砥石（２）と、研磨砥石（２）を載置する本体（３）とから構成されるものである。
研磨砥石（２）は、直径４５ｍｍ、厚さ１ｍｍ程度の大きさで、略全面がダイヤモンド砥粒によって研磨面となされたものである。
【００１９】
本体（３）は、図１〜図４に示すように、背のやや低い略円柱形状をなし、上面には研磨砥石（２）を載置収容するための所定の凹所（５）が形成されている。本体（３）は軽量化のため、例えばプラスチックや木等を用いて成型されている。
凹所（５）には、図４に示すように、フェライト磁石からなる第１磁石（６）が埋設されており、これによって、研磨砥石（２）を凹所（５）に着脱自在に吸着保持できるようになっている。図２に示すように、研磨砥石（２）が本体（３）から若干突出するようにしておけば、研磨後の削りカスの清掃等が容易となって好ましい。
なお、図示は省略するが、研磨砥石（２）の取り外しを容易にするために、凹所（５）の周縁部を一部切欠して形成することもできる。また、研磨砥石（２）の脱離を防止するための爪を設けるようにしてもよい。
【００２０】
本体（３）の底面には、図３〜図４に示すように、フェライト磁石からなる第２磁石（８）が埋設され、さらにその周囲にはゴムシート又はゴム塗料等から形成される滑り止め材（９）が設けられている。図４に示すように、第２磁石（８）と滑り止め材（９）との間には、僅かな段差（１０）が形成されている。これにより、第２磁石（８）の吸着力が低下することなく、滑り止め材（９）が有効に作用し、滑り止め効果の向上が図られることとなる。
なお、研磨砥石（２）や本体（３）の形状は、上記したものに限らず、様々な設計変更が可能であることは言うまでもない。
【００２１】
このようにして構成される刃物研磨装置（１）は、本体（３）を、第２磁石（８）を介して、例えばガスレンジや磁性体製テーブル等の対象物に吸着固定するとともに、研磨砥石（２）を、第１磁石（６）を介して、凹所（５）に吸着保持して使用する。
刃物の研磨は、刃物の該当箇所を研磨砥石（２）上面の適宜の位置に押し当てて行うことができる。このとき、第１磁石（６）、第２磁石（８）、及び滑り止め材（９）の作用によって、研磨砥石（２）が強固に支持固定されると同時に、第１磁石（６）の磁力によって刃物が研磨砥石（２）に密着される。その結果、刃物の研磨砥石（２）に対する当接角度を一定に保持することが容易となり、また、刃物が研磨砥石（２）から逃げることもない。従って、誰にでも簡単に、安全且つ正確な研磨作業を行うことが可能となる。
【００２２】
しかも、本実施例に係る刃物研磨装置（１）は、全体が非常にコンパクトな形態であるため、場所をとらず、持ち運びも便利である。
また、本実施例に係る刃物研磨装置（１）によれば、研磨砥石（２）が着脱自在に構成されているため、磨耗した研磨砥石（２）の交換が容易であるとともに、刃物の種類や用途等に応じて、複数種類の研磨砥石（荒研ぎ用、中研ぎ用、仕上研ぎ用）を使い分けることができる。
【実施例２】
【００２３】
本発明の他の実施形態について、図５〜図７に基づいて説明する。図５は刃物研磨装置の平面図、図６は刃物研磨装置の側面図、図７は刃物研磨装置の側面断面図である。
【００２４】
図５〜図７に示すように、本実施例に係る刃物研磨装置（１’）は、中心部がドーナツ状に開口された研磨砥石（２’）と本体（３’）とから構成されるものであるが、特に小型の駆動モーター（２０）を内蔵している。図７に示すように、駆動モーター（２０）には回転軸（２１）が接続されており、第１磁石（６’）を貫通した回転軸（２１）先端に、ナット（２２）を介して研磨砥石（２’）が螺嵌されている。そして、研磨砥石（２’）が、駆動モーター（２０）を動力とし、第１磁石（６’）及び回転軸（２１）と一体となって回転自在となされているものである。このため、第１磁石（６’）は、回転軸（２１）に一体に固着されるとともに、本体（３’）との間の一定のクリアランスを介して、回転可能に配設されている。
【００２５】
本実施例に係る刃物研磨装置（１’）では、図５〜図７に示す形状の安全壁（２５）が、本体（３’）上部の適宜の位置に突設されている。
また、本体（３’）の底面には、図７に示すように、薄型の第２磁石（８’）及び滑り止め材（９’）が埋設されている。
【００２６】
本実施例に係る刃物研磨装置（１’）は、図示しないスイッチによって駆動モーター（２０）を作動させ、研磨砥石（２’）をゆっくりとしたスピードで回転させて使用する。このような刃物研磨装置（１’）であれば、より簡単に刃物の研磨作業を行うことができる。しかも、安全壁（２５）を設けているため、研磨砥石（２’）の回転に伴う刃物の横滑りを防止して、安全に作業を行うことが可能となる。
【００２７】
なお、本発明の変形例として、例えば着磁機を用いて、研磨砥石自体に磁力を持たせるようにすることもできる。この場合、磁力を安定的に保持するために、研磨砥石を一定の厚み以上に形成する。
【産業上の利用可能性】
【００２８】
本発明は、誰にでも簡単に、安全且つ正確な研磨作業を行うことができる刃物研磨装置を提供するものであり、産業上の利用可能性を有する。
【図面の簡単な説明】
【００２９】
【図１】刃物研磨装置の平面図である。
【図２】刃物研磨装置の側面図である。
【図３】刃物研磨装置の底面図である。
【図４】刃物研磨装置の側面断面図である。
【図５】他の実施形態に係る刃物研磨装置の平面図である。
【図６】他の実施形態に係る刃物研磨装置の側面図である。
【図７】他の実施形態に係る刃物研磨装置の側面断面図である。
【符号の説明】
【００３０】
１、１’  刃物研磨装置
２、２’  研磨砥石
３、３’  本体
５  凹所
６、６’  第１磁石
８、８’  第２磁石
９、９’  滑り止め材
１０  段差
２０  駆動モーター
２１  回転軸
２２  ナット
２５  安全壁  
【図１】
2008207261.tif 000003
【図２】
2008207261.tif 000004
【図３】
2008207261.tif 000005
【図４】
2008207261.tif 000006
【図５】
2008207261.tif 000007
【図６】
2008207261.tif 000008
【図７】
2008207261.tif 000009